(57)【要約】【課題】部品点数を削減しつつ、把持しやすく使い勝手の良い撮像装置を提供する。【解決手段】本発明の撮像装置は、把持部に開口部を有する外装ケースと、無線通信部と、無線通信部を保持し、開口部を塞ぐようにして外装ケースに設けられる保持部と、を備える。ここで、保持部は樹脂で形成してもよい。また、外装ケースは金属製の板体を加工して形成してもよい。【選択図】図１
2009225235.tif 000002
【特許請求の範囲】
【請求項１】
把持部に開口部を有する外装ケースと、
無線通信部と、
前記無線通信部を保持し、前記開口部を塞ぐようにして前記外装ケースに設けられる保持部と、
を備える撮像装置。
【請求項２】
前記保持部は樹脂で形成されている、請求項１に記載の撮像装置。
【請求項３】
前記外装ケースは金属製の板体を加工して形成されている、請求項２に記載の撮像装置。
【発明の詳細な説明】
【技術分野】
【０００１】
本発明は、撮像装置に関し、特に、無線通信機能を有する撮像装置に関する。
【背景技術】
【０００２】
近年、無線通信機能を用いて画像データの送受信を可能とするデジタルカメラが実用化されつつある。
【０００３】
特許文献１は、無線ＬＡＮモジュール部を備えた電子カメラを開示する。特許文献１に記載の電子カメラによれば、操作性の観点から、画像データの送受信を容易に行うことができる。
【特許文献１】特開２００７−２００３７号公報
【発明の開示】
【発明が解決しようとする課題】
【０００４】
本発明は、部品点数を削減しつつ、把持しやすく使い勝手の良い撮像装置を提供することを目的とする。
【課題を解決するための手段】
【０００５】
上記目的を達成するために、本発明の撮像装置は、把持部に開口部を有する外装ケースと、無線通信部と、無線通信部を保持し、開口部を塞ぐようにして外装ケースに設けられる保持部と、を備える。
【０００６】
これにより、保持部を、無線通信部の保持手段、及び、把持を良好にするための材料として兼用できる。このため、部品点数を削減しつつ、使い勝手の良い撮像装置を提供できる。
【０００７】
ここで、保持部は樹脂で形成してもよい。これにより、無線通信部に入出力される電波の透過性を高め、かつ、把持した際の滑りやすさを低減できる。
【０００８】
また、外装ケースは金属製の板体を加工して形成してもよい。
【発明の効果】
【０００９】
本発明によれば、部品点数を削減しつつ、把持しやすく使い勝手の良い撮像装置を提供できる。
【発明を実施するための最良の形態】
【００１０】
（実施の形態１）
図１は、本発明の実施の形態１に係るデジタルスチルカメラ１０の前面から見た斜視図である。デジタルスチルカメラ１０は、前面にレンズ５０が配され、上面にはシャッター釦４０などの操作部材が配されている。また、背面には、図示していないが、背面には、液晶モニタなどの表示手段や十字キーなどの操作部材を配するようにしてもよい。
【００１１】
デジタルスチルカメラ１０の外装ケースは、外装前面パネル２０や背面パネルなどの部材を組み合わせて構成されている。外装前面パネル２０は、鉄やアルミニウム、マグネシウム合金等の金属製の板体をプレス加工等の加工を施すことにより形成されている。
【００１２】
外装前面パネル２０は、使用者が撮影時に把持する部分に把持部２１を有する。把持部２１は、外装前面パネル２０を構成している板体を、前方方向に突き出るように加工することにより、形成されている。把持部２１の一部にはグリップ部３０が設けられている。グリップ部３０は、表面の少なくとも一部は樹脂で形成されている。
【００１３】
使用者は、撮影時に、右手でデジタルスチルカメラ１０を把持する。より詳細には、右手の中指と薬指と小指で把持部２１及びグリップ部３０を把持し、人差し指はシャッター釦４０を押下するために上面に置かれる。親指は、背面を支える。把持部２１は、上述のように前方に突き出た形状をしているので、使用者は把持しやすい。また、グリップ部３０は、表面の少なくとも一部が樹脂で形成されているので、使用者がデジタルスチルカメラ１０を把持した際に、滑り止め機能を果たすことができる。
【００１４】
図２は、外装前面パネル２０の正面図である。外装前面パネル２０には、把持部２１の一部に開口部２２が形成されている。開口部２２の中ほどに固定部２３が設けられている。固定部２３にはネジを挿通するためのネジ挿通孔２４が形成されている。
【００１５】
図３は、正面から見た、グリップ部３０の分解斜視図である。グリップ部３０は、モジュール保持部３１と係止部３２とを組み合わせて構成される。
【００１６】
モジュール保持部３１は、樹脂で形成されている。モジュール保持部３１は、係止部３２と組み合わせた際に、係止部３２を保持する。
【００１７】
無線通信モジュール３３は、外部との無線通信の際に機能する部材である。無線通信モジュール３３を用いた無線通信の方式は特に限定するものではないが、例えば、ＩＥＥＥ８０２．１１やＷｉ−Ｍａｘなどの規格に準拠する方式であってもよい。無線通信モジュール３３は、リジッドなプリント配線基板に半導体装置やコンデンサーなどが実装されている。そして、フレキシブルプリント配線基板により、カメラ制御部との電気的導通が確保されている。一般に、無線通信に利用する電波は、金属よりも樹脂の方が透過しやすい。そこで、無線通信モジュール３３を、外装前面パネル２０ではなく、モジュール保持部３１に固定することとした。これにより、無線通信モジュール３３が外部に対して電波を受送信しやすくなるので、良好に無線通信を行うことができる。また、無線通信モジュール３３を構成するリジッドプリント配線基板の両側のうちいずれかが他方に比べて電波の受送信について感度が高い場合、その感度の高い面をモジュール保持部３１に向けるようにして、無線通信モジュール３３をモジュール保持部３１に固定するようにするのが好ましい。モジュール保持部３１を通して入力される電波を受信しやすくなり、また、無線通信モジュール３３で発信される電波を直接モジュール保持部３１を介して外部に発信することができるからである。
【００１８】
図４は、背面から見たグリップ部３０の分解斜視図である。係止部３２は、無線通信モジュール３３を固定するために用いられる。無線通信モジュール３３のリジッドプリント配線基板を係止部３２などに係止することによって、無線通信モジュール３３をモジュール保持部３１に固定する。
【００１９】
ネジ３４は、モジュール保持部３１を固定部２３に固定するためのネジである。ネジ３４は、ネジ挿通孔２４に挿通された後、モジュール保持部３１に形成された雌ネジに螺合される。
【００２０】
図５は、無線通信モジュール３３をモジュール保持部３１に組み付けた状態の斜視図である。図５に示すように、無線通信モジュール３３は、係止部３２などで係止されることにより、モジュール保持部３１に固定される。なお、図５において、ネジ３４が図示されているが、これは図面作成の際の便宜のために記載されているものであり、実際には無線通信モジュール３３をモジュール保持部３１に組み付けた段階では未だネジ３４は取り付けられない。
【００２１】
図６は、グリップ部３０を外装前面パネル２０に固定した状態を示す、外装前面パネル２０の裏面から見た平面図である。図６に示すように、グリップ部３０は、ネジ３４によって、外装前面パネル２０に固定されている。
【００２２】
以上のように、本実施の形態に係るデジタルスチルカメラ１０は、把持部２１に開口部２２を有する外装前面パネル２０と、無線通信モジュール３３と、無線通信モジュール３３を保持し、開口部２２を塞ぐようにして外装前面パネル２０に設けられるモジュール保持部３１と、を備える。
【００２３】
これにより、モジュール保持部３１を、無線通信モジュール３３の保持手段、及び、グリップ部として兼用できる。このため、部材点数を削減しつつ、使い勝手のよい撮像装置を提供できる。
【００２４】
また、本実施の形態のように、モジュール保持部３１を樹脂で形成するようにしてもよい。これにより、使用者が把持した際に、モジュール保持部３１が滑り止めとして機能する。
【００２５】
また、本実施の形態のように、金属製の板体を加工して外装前面パネル２０を形成するようにしてもよい。
【００２６】
（他の実施の形態）
本発明の実施例として、実施の形態１を例示した。しかし、本発明は、実施の形態１に限定されない。そこで、本発明の他の実施の形態を以下まとめて説明する。
【００２７】
実施の形態１では、把持部を前方に突き出た形状とした。しかし、本発明はこれに限定されない。例えば、把持部を平面とし、その平面部に開口部を設け、その開口部を塞ぐようにしてグリップ部３０を設けるようにしてもよい。このようにした場合でも、グリップ部３０は、無線通信部としての機能も、滑り止めとしての機能も有する。
【００２８】
実施の形態１は、グリップ部３０を外装前面パネル２０に設けた。しかし、本発明はこれに限定されない。例えば、背面のパネルに設けてもよい。この場合、使用者が把持したときの親指が支える位置にグリップ部３０を設けるようにしてもよい。
【００２９】
また、把持する箇所のうち、デジタルスチルカメラ１０の側面にグリップ部３０を設けるようにしてもよい。
【００３０】
また、実施の形態１では、係止部３２などの係止を利用して無線通信モジュール３３をモジュール保持部３１に固定するようにしたが、本発明はこれには限らない。例えば、無線通信モジュール３３をモジュール保持部３１にネジ止めにより固定してもよい。
【産業上の利用可能性】
【００３１】
本発明は、無線通信部を備える撮像装置に適用可能である。具体的には、デジタルスチルカメラ、ムービー等に適用できる。
【図面の簡単な説明】
【００３２】
【図１】本発明の実施の形態１に係るデジタルスチルカメラの斜視図
【図２】外装前面パネルの裏面図
【図３】グリップ部の分解斜視図
【図４】グリップ部の分解斜視図
【図５】グリップ部の斜視図
【図６】外装前面パネルの裏面図
【符号の説明】
【００３３】
１０    デジタルスチルカメラ
２０    外装前面パネル
２１    把持部
２２    開口部
２３    固定部
２４    ネジ挿通孔
３０    グリップ部
３１    モジュール保持部
３２    係止部
３３    無線通信モジュール
３４    ネジ
４０    シャッター釦
５０    レンズ
【図１】
2009225235.tif 000003
【図２】
2009225235.tif 000004
【図３】
2009225235.tif 000005
【図４】
2009225235.tif 000006
【図５】
2009225235.tif 000007
【図６】
2009225235.tif 000008